(57)【要約】【課題】ローミングサービスを利用する前に、そのローミングサービスの利用料金および最大利用可能時間を利用者に提示する。【解決手段】本発明の携帯電話機においては、制御部１８は、ネットワーク側のデータベースから予め課金情報をダウンロードし記憶部１３に格納しておく。また、制御部１８は、ローミングサービスを利用して発信する前または着信を受け付ける前に、記憶部１３に格納された課金情報を用いてローミングサービスの利用料金および最大利用可能時間を算出し、ディスプレイ１５に表示する。【選択図】図２
2008054021.tif 000002
【特許請求の範囲】
【請求項１】
ローミングサービスの課金計算に用いる課金情報を格納するデータベースと、前記ローミングサービスを利用する場合に、前記データベースからダウンロードした前記課金情報を用いて課金計算を行う携帯電話機とを有してなる移動体通信システムにおいて、
前記携帯電話機は、
記憶部と、
表示部と、
前記データベースから予め前記課金情報をダウンロードし前記記憶部に格納するとともに、前記ローミングサービスを利用して発信する前または着信を受け付ける前に、前記記憶部に格納された前記課金情報を用いて当該ローミングサービスの利用料金および最大利用可能時間を算出し前記表示部に表示する制御部とを有する、移動体通信システム。
【請求項２】
前記制御部は、前記ローミングサービスを提供する携帯電話事業者のネットワーク配下に移動した際に当該ネットワークから通知される報知情報に基づいて、前記携帯電話機が現在位置する国と、前記携帯電話機の現在位置にて前記ローミングサービスを提供する携帯電話事業者とを認識する、請求項１に記載の移動体通信システム。
【請求項３】
前記課金情報は、国ごとに設定されたパラメータを含み、
前記制御部は、前記携帯電話機が現在位置する国に応じた前記パラメータを用いて、前記利用料金および前記最大利用可能時間を算出する、請求項２に記載の移動体通信システム。
【請求項４】
前記課金情報は、携帯電話事業者ごとに設定されたパラメータを含み、
前記制御部は、前記携帯電話機が利用しようとしているローミングサービスを提供する携帯電話事業者に応じた前記パラメータを用いて、前記利用料金および前記最大利用可能時間を算出する、請求項２に記載の移動体通信システム。
【請求項５】
前記課金情報は、前記ローミングサービスの種類ごとに設定されたパラメータを含み、
前記制御部は、前記携帯電話機が利用しようとしているローミングサービスの種類に応じた前記パラメータを用いて、前記利用料金および前記最大利用可能時間を算出する、請求項２に記載の移動体通信システム。
【請求項６】
前記課金情報は、時間帯ごとに設定されたパラメータを含み、
前記制御部は、現在の時間帯に応じた前記パラメータを用いて、前記利用料金および前記最大利用可能時間を算出する、請求項２に記載の移動体通信システム。
【請求項７】
前記制御部は、前記利用料金および前記最大利用可能時間を算出する前に、前記データベースから前記課金情報をダウンロードする、請求項２に記載の移動体通信システム。
【請求項８】
前記制御部は、前記報知情報に基づいて前記携帯電話機が現在位置している国が変わったと判断した場合に、前記データベースから前記課金情報をダウンロードする、請求項２に記載の移動体通信システム。
【請求項９】
前記制御部は、前記報知情報に基づいて前記ローミングサービスを提供する携帯電話事業者が変わったと判断した場合に、前記データベースから前記課金情報をダウンロードする、請求項２に記載の移動体通信システム。
【請求項１０】
前記制御部は、前記携帯電話機の利用者の指示があった場合に、前記データベースから前記課金情報をダウンロードする、請求項２に記載の移動体通信システム。
【請求項１１】
ローミングサービスを利用する場合に、ネットワーク上のデータベースからダウンロードした課金情報を用いて課金計算を行う携帯電話機であって、
記憶部と、
表示部と、
前記データベースから予め前記課金情報をダウンロードし前記記憶部に格納するとともに、前記ローミングサービスを利用して発信する前または着信を受け付ける前に、前記記憶部に格納された前記課金情報を用いて当該ローミングサービスの利用料金および最大利用可能時間を算出し前記表示部に表示する制御部とを有する、携帯電話機。
【請求項１２】
前記制御部は、前記ローミングサービスを提供する携帯電話事業者のネットワーク配下に移動した際に当該ネットワークから通知される報知情報に基づいて、前記携帯電話機が現在位置する国と、前記携帯電話機の現在位置にて前記ローミングサービスを提供する携帯電話事業者とを認識する、請求項１１に記載の携帯電話機。
【請求項１３】
前記課金情報は、国ごとに設定されたパラメータを含み、
前記制御部は、前記携帯電話機が現在位置する国に応じた前記パラメータを用いて、前記利用料金および前記最大利用可能時間を算出する、請求項１２に記載の携帯電話機。
【請求項１４】
前記課金情報は、携帯電話事業者ごとに設定されたパラメータを含み、
前記制御部は、前記携帯電話機が利用しようとしているローミングサービスを提供する携帯電話事業者に応じた前記パラメータを用いて、前記利用料金および前記最大利用可能時間を算出する、請求項１２に記載の携帯電話機。
【請求項１５】
前記課金情報は、前記ローミングサービスの種類ごとに設定されたパラメータを含み、
前記制御部は、前記携帯電話機が利用しようとしているローミングサービスの種類に応じた前記パラメータを用いて、前記利用料金および前記最大利用可能時間を算出する、請求項１２に記載の携帯電話機。
【請求項１６】
前記課金情報は、時間帯ごとに設定されたパラメータを含み、
前記制御部は、現在の時間帯に応じた前記パラメータを用いて、前記利用料金および前記最大利用可能時間を算出する、請求項１２に記載の携帯電話機。
【請求項１７】
前記制御部は、前記利用料金および前記最大利用可能時間を算出する前に、前記データベースから前記課金情報をダウンロードする、請求項１２に記載の携帯電話機。
【請求項１８】
前記制御部は、前記報知情報に基づいて前記携帯電話機が現在位置している国が変わったと判断した場合に、前記データベースから前記課金情報をダウンロードする、請求項１２に記載の携帯電話機。
【請求項１９】
前記制御部は、前記報知情報に基づいて前記ローミングサービスを提供する携帯電話事業者が変わったと判断した場合に、前記データベースから前記課金情報をダウンロードする、請求項１２に記載の携帯電話機。
【請求項２０】
前記制御部は、前記携帯電話機の利用者の指示があった場合に、前記データベースから前記課金情報をダウンロードする、請求項１２に記載の携帯電話機。
【発明の詳細な説明】
【技術分野】
【０００１】
本発明は、移動体通信システム、携帯電話機に関する。
【背景技術】
【０００２】
現代社会において、携帯電話機は人々の生活に不可欠のものになっている。また、ローミングサービス（携帯電話機の利用者が加入している携帯電話事業者以外の携帯電話事業者のネットワークに位置登録している際に受けるサービス）は、携帯電話機の利用者に幅広く利用されている。
【０００３】
しかし、ローミングサービスの利用料金は、一般的に、非ローミングサービス（携帯電話機の利用者が加入している携帯電話事業者のネットワークに位置登録している際に受けるサービス）と比べて高価である。さらに、非ローミングサービスでは着信には課金されないが、ローミングサービスでは着信にも課金されるケースが多い。
【０００４】
そのため、利用者が無意識のうちに非ローミングサービスと同じ感覚でローミングサービスを利用すると、後に予想外の高価な料金を請求されることがしばしばある。
【０００５】
そこで、最近は、携帯電話機のローミングサービスの利用料金を算出し、利用者に提示する技術が開示されている。
【０００６】
例えば、３ＧＰＰ  ＴＳ２２．０２４、ＴＳ２２．０８６、ＴＳ２３．０８６、およびＴＳ２４．０８６には、携帯電話機が、ローミングサービスの利用料金を算出し、利用者に提示するＡＯＣ（Advice of Charge）サービスが規定されている。なお、ローミングサービスの利用料金を算出する技術は、例えば、特許文献１に開示されている。
【特許文献１】特開２００２−３００３１１号公報
【発明の開示】
【発明が解決しようとする課題】
【０００７】
しかし、上述したＡＯＣサービスには以下のような課題がある。
【０００８】
（１）ＡＯＣの課金計算に用いる課金情報は、利用者が通話を開始した後にネットワークから携帯電話機に通知され、携帯電話機は、通話を終了した後に利用料金を算出して利用者に提示する。すなわち、利用者は、通話を開始する前に、これから利用しようとしているローミングサービスの利用料金を知ることはできない。
【０００９】
（２）ＡＯＣの課金計算に用いる課金情報は、ネットワークから携帯電話機に通知されるため、ＡＯＣサービスを利用できるかどうかは携帯電話事業者のネットワーク設定に大きく依存する。しかし、従来は、課金情報を通知しないネットワークが多数あり、また、課金情報を通知するネットワークがあっても、そのうちローミング中の携帯電話に対してローミングサービス用の課金情報を通知するネットワークは少ない。
【００１０】
（３）ＡＯＣでは、携帯電話機のＳＩＭ（Subscriber Identity Module）に、ローミングサービスの利用料金の累計金額と利用限度額とが格納されており、累計金額が利用限度額を超えると利用中のローミングサービスを切断するサービスがある。しかし、利用者は、ローミングサービスを利用する前に、そのローミングサービスを切断されずにどのぐらい利用できるかを把握することはできない。
【００１１】
そこで、本発明の目的は、ローミングサービスを利用する前に、そのローミングサービスの利用料金および最大利用可能時間を利用者に提示することができる移動体通信システム、携帯電話機を提供することにある。
【課題を解決するための手段】
【００１２】
上記目的を達成するために本発明の移動体通信システムは、
ローミングサービスの課金計算に用いる課金情報を格納するデータベースと、前記ローミングサービスを利用する場合に、前記データベースからダウンロードした前記課金情報を用いて課金計算を行う携帯電話機とを有してなる移動体通信システムにおいて、
前記携帯電話機は、
記憶部と、
表示部と、
前記データベースから予め前記課金情報をダウンロードし前記記憶部に格納するとともに、前記ローミングサービスを利用して発信する前または着信を受け付ける前に、前記記憶部に格納された前記課金情報を用いて当該ローミングサービスの利用料金および最大利用可能時間を算出し前記表示部に表示する制御部とを有することを特徴とする。
【００１３】
上記目的を達成するために本発明の携帯電話機は、
ローミングサービスを利用する場合に、ネットワーク上のデータベースからダウンロードした課金情報を用いて課金計算を行う携帯電話機であって、
記憶部と、
表示部と、
前記データベースから予め前記課金情報をダウンロードし前記記憶部に格納するとともに、前記ローミングサービスを利用して発信する前または着信を受け付ける前に、前記記憶部に格納された前記課金情報を用いて当該ローミングサービスの利用料金および最大利用可能時間を算出し前記表示部に表示する制御部とを有することを特徴とする。
【００１４】
上記のように構成された本発明によれば、携帯電話機は、ローミングサービスの課金計算に用いる課金情報をデータベースから予めダウンロードしておき、ローミングサービスを利用して発信する前または着信を受け付ける前に、課金情報を用いてローミングサービスの利用料金および最大利用可能時間を算出し表示を行う。
【００１５】
したがって、利用者は、ローミングサービスを利用する前に、そのローミングサービスの利用料金および最大利用可能時間の提示を受けることができる。
【発明の効果】
【００１６】
以上説明したように本発明によれば、利用者は、ローミングサービスを利用する前に、そのローミングサービスの利用料金および最大利用可能時間の提示を受けることができるという効果が得られる。
【００１７】
したがって、利用者は、これから利用しようとするローミングサービスを、どのくらいの料金でどれぐらいの時間だけ利用できるかを把握することができるため、自身の支払い能力に応じてローミングサービスを利用することができる。
【００１８】
例えば、利用者は、支払い能力がある場合、ローミングサービスをそのまま利用し、支払い能力がない場合、ローミングサービスの利用を断念するかまたは利用時間を短縮するといった選択をすることができる。
【発明を実施するための最良の形態】
【００１９】
以下に、本発明を実施するための最良の形態について図面を参照して説明する。
【００２０】
図１を参照すると、本実施形態の移動体通信システムは、携帯電話事業者Ｈのネットワークと、携帯電話事業者Ｖのネットワークとを含む。
【００２１】
携帯電話事業者Ｈは、携帯電話機１０１，１０２の利用者が加入している国内の携帯電話事業者であり、携帯電話事業者Ｖは、携帯電話機１０１，１０２のローミング先の携帯電話事業者である。
【００２２】
すなわち、携帯電話機１０１，１０２の利用者は、国内の携帯電話事業者Ｈのネットワークに位置登録して非ローミングサービスを利用することができる他、ローミング先の携帯電話事業者Ｖのネットワークに位置登録してローミングサービスを利用することができる。
【００２３】
携帯電話事業者Ｖのネットワークには、基地局２０１と、基地局制御装置３０１と、携帯電話交換機４０１と、関門交換機５０１とが含まれる。
【００２４】
携帯電話事業者Ｈのネットワークには、基地局２０２と、基地局制御装置３０２と、携帯電話交換機４０２と、関門交換機５０２と、データベース（ＨＬＲ：home location register）６０２とが含まれる。
【００２５】
データベース６０２には、携帯電話事業者Ｈに加入している加入者情報（携帯電話機１０１，１０２の利用者の情報を含む）の他、ローミングサービスの課金計算に用いる課金情報が格納される。
【００２６】
ここで、図１に示した携帯電話機１０１，１０２の構成について説明する。なお、携帯電話機１０１，１０２は同様の構成であるため、以下では携帯電話機１０１の構成について説明する。
【００２７】
図２を参照すると、携帯電話機１０１は、アンテナ１１と、無線部１２と、記憶部１３と、操作部１４と、ディスプレイ１５と、マイク１６と、スピーカ１７と、制御部１８とを含む。
【００２８】
無線部１２は、アンテナ１１を介して無線信号を送受信する処理、ベースバンド処理、変復調処理等を行う。
【００２９】
記憶部１３は、複数の記憶手段を含む。例えば、記憶部１３は、携帯電話機１０１のローミングサービスの利用料金の累計金額や利用限度額を格納するＳＩＭや、データベース６０２からダウンロードした、ローミングサービスの課金計算に用いる課金情報を格納する記憶手段等を含む。
【００３０】
操作部１４は、携帯電話機１０１の利用者が操作を行うキーである。
【００３１】
ディスプレイ１５は、ローミングサービスの課金計算結果である利用料金および最大利用可能時間等の各種情報を表示する表示部である。
【００３２】
マイク１６は、携帯電話機１０１の利用者の話声を集音する音声入力部であり、スピーカ１７は、通話相手の話声を出力する音声出力部である。
【００３３】
制御部１８は、携帯電話機１０１の全体の制御を行うＣＰＵである。
【００３４】
以下、図１に示した移動体通信システムの動作について説明する。
［携帯電話機の移動時の動作］
最初に、携帯電話機１０１がローミング先の携帯電話事業者Ｖのネットワーク配下に移動する時の動作について説明する。
【００３５】
携帯電話機１０１がローミング先の携帯電話事業者Ｖのネットワーク配下に移動すると、携帯電話機１０１が位置登録を行う前に、携帯電話事業者Ｖのネットワーク側の基地局２０１から携帯電話機１０１に対して報知情報が通知される。
【００３６】
報知情報には、ＰＬＭＮ（Public Land Mobile Network）が含まれ、また、ＰＬＭＮには、携帯電話機１０１が現在位置する国を示すＭＣＣ（Mobile Country Code）と、携帯電話機１０１の現在位置にてローミングサービスを提供する携帯電話事業者Ｖを示すＭＮＣ（Mobile Network Code）とが含まれる。
【００３７】
携帯電話機１０１においては、基地局２０１からの報知情報がアンテナ１１を介して無線部１２に受信される。すると、制御部１８は、報知情報に含まれるＭＣＣとＭＮＣを、記憶部１３に格納する。
【００３８】
したがって、携帯電話機１０１は、ＭＣＣにより携帯電話機１０１が現在位置する国を認識することができ、また、ＭＮＣにより携帯電話機１０１の現在位置にてローミングサービスを提供する携帯電話事業者Ｖを認識することができる。
【００３９】
その後、携帯電話機１０１の制御部１８は、無線部１２からアンテナ１１を介して、携帯電話事業者Ｖのネットワークに位置登録を行う。このときの登録先は、携帯電話事業者Ｖのネットワーク側の不図示のデータベース（ＨＬＲ）を想定している。
［携帯電話機の課金情報のダウンロード時の動作］
続いて、携帯電話機１０１がローミングサービスの課金計算に用いる課金情報をダウンロードする時の動作について説明する。
【００４０】
携帯電話機１０１が加入している携帯電話事業者Ｈのネットワーク側のデータベース６０２には、ローミングサービスの課金計算に用いる課金情報が格納されている。
【００４１】
課金情報は、国ごと、通信事業者ごと、サービス種類ごと、時間帯ごとにそれぞれ設定されたＡＯＣパラメータを含み、常に最新情報に更新される。
【００４２】
携帯電話機１０１の制御部１８は、無線部１２からアンテナ１１を介して、データベース６０２にアクセスし、データベース６０２から常に最新の課金情報をダウンロードし、記憶部１３に格納しておく。
【００４３】
ここで、携帯電話機１０１の制御部１８がデータベース６０２から課金情報をダウンロードするタイミングは任意であるが、例えば、次の（１）〜（４）の場合に課金情報をダウンロードすることが考えられる。
【００４４】
（１）携帯電話機１０１の制御部１８は、報知情報によって現在位置する国が変わったと判断した場合、まず、該当する国に応じたパラメータが課金情報として記憶部１３に格納されているか否かを判断する。もし、記憶部１３に格納されていなければ、制御部１８は、自動でまたは利用者の確認を得て、データベース６０２から最新の課金情報をダウンロードする。
【００４５】
（２）携帯電話機１０１の制御部１８は、報知情報によってローミングサービスを提供する携帯電話事業者が変わったと判断した場合、まず、該当する携帯電話事業者に応じたパラメータが課金情報として記憶部１３に格納されているか否かを判断する。もし、記憶部１３に格納されていなければ、制御部１８は、自動でまたは利用者の確認を得て、データベース６０２から最新の課金情報をダウンロードする。
【００４６】
（３）携帯電話機１０１の制御部１８は、利用者の指示があった場合、データベース６０２から最新の課金情報をダウンロードする。例えば、利用者は、旅行先でローミングサービスを利用する可能性がある場合、旅行先の国や携帯電話事業者に応じたパラメータを課金情報として予めダウンロードすることが考えられる。国内にいる時に旅行先の課金情報をダウンロードすれば、ダウンロードに要する通信料金も安くなって便利である。
【００４７】
（４）課金情報は、ローミングサービスを利用して発信する前または着信を受け付ける前に、そのローミングサービスの利用料金および最大利用可能時間を算出するために用いられる。そのため、携帯電話機１０１の制御部１８は、ローミングサービスの利用料金および最大利用可能時間を算出する場合に、その前にデータベース６０２から最新の課金情報をダウンロードする。
【００４８】
なお、課金情報は、携帯電話機１０１の制御部１８がデータベース６０２にアクセスして取得するのではなく、ネットワーク側で自動的に携帯電話機１０１に配信することも可能であることは無論なことである。その方法としては、例えば、パケットページング情報をネットワーク側から携帯電話機１０１に送信し、携帯電話機１０１にパケットページング情報を用いてデータベース６０２と接続させる方法が考えられる。
［携帯電話機の発信時の動作］
続いて、携帯電話機１０１の発信時の動作について、図３のフローチャートを参照して説明する。
【００４９】
ここでは、携帯電話機１０１がローミング先の携帯電話事業者Ｖのネットワークに位置登録し、携帯電話機１０２が国内の携帯電話事業者Ｈのネットワークに位置登録した状態で、携帯電話機１０１から携帯電話機１０２に対して発信を行うものとする。
【００５０】
図３を参照すると、まず、携帯電話機１０１の利用者が、発信先の携帯電話機１０２の電話番号を入力し（ステップ３０１）、サービス種類（一例として、音声通話サービスか、テレビ電話サービス）を選択し（ステップ３０２）、発信ボタンを押下したとする（ステップ３０３）。
【００５１】
すると、携帯電話機１０１の制御部１８は、記憶部１３に格納しておいた報知情報に含まれるＭＣＣおよびＭＮＣにより、携帯電話機１０１が現在位置する国および現在位置にてローミングサービスを提供する携帯電話事業者Ｖを認識する。次に、制御部１８は、記憶部１３に格納しておいた課金情報の中から、携帯電話機１０１が現在位置する国に応じたＡＯＣパラメータ、携帯電話事業者Ｖに応じたＡＯＣパラメータ、利用者が利用しようとしているサービス種類に応じたＡＯＣパラメータ、および現在の時間帯に応じたＡＯＣパラメータを抽出する（ステップ３０４）。
【００５２】
次に、制御部１８は、上記で抽出したＡＯＣパラメータを用いて、ローミングサービスを利用して発信を行う場合の利用料金（例えば、単位時間当たりの通話料金）および最大利用可能時間を算出し、ディスプレイ１５に表示する（ステップ３０５）。
【００５３】
具体的には、制御部１８は、例えば、上記で抽出したＡＯＣパラメータを変数として予め決められた数式に入力することで利用料金を算出し、ディスプレイ１５に表示する。また、制御部１８は、上記で算出した利用料金を加算した累計金額が記憶部１３のＳＩＭに格納されている利用限度額に達するまでの時間を最大利用可能時間として算出し、ディスプレイ１５に表示する。このとき、累計金額がすでに利用限度額を超えている場合、制御部１８は、ローミングサービスを利用できない旨をディスプレイ１５に表示する。
【００５４】
したがって、携帯電話機１０１は、ローミングサービスを利用して発信を行う前に、そのローミングサービスの利用料金および最大利用可能時間を利用者に提示することができる。
【００５５】
その後、制御部１８は、利用者が利用料金および最大利用可能時間を確認した後に発信を許可する操作を行うと、発信に関する通信シーケンスが開始される（ステップ３０６）。
【００５６】
ここで、発信に関する通信シーケンスについて簡単に説明する。
【００５７】
まず、制御部１８は、無線部１２からアンテナ１１を介して、携帯電話機１０２へ呼を発信する。すると、携帯電話機１０１は、携帯電話事業者Ｖのネットワーク側の基地局２０１、基地局制御装置３０１、携帯電話交換地４０１、および関門交換機５０１を通じて、携帯電話事業者Ｈのネットワーク側の関門交換機５０２および携帯電話交換機４０２に接続される。
【００５８】
次に、関門交換機５０２および携帯電話交換機４０２は、データベース６０２から、携帯電話機１０２の位置情報を取得する。
【００５９】
その後、携帯電話機１０１から発信された呼が、携帯電話事業者Ｈのネットワーク側の基地局制御装置３０２および基地局２０２を通じて、携帯電話機１０２に着信する。携帯電話機１０２がオフフック状態となって着信を受け付けると、携帯電話機１０１と携帯電話機１０２とが呼接続され、通話が開始される。
【００６０】
上述のように本実施形態では、携帯電話機１０１がローミングサービスの利用料金および最大利用可能時間を算出する際に、従来のＡＯＣサービスの仕組みを流用している。これにより、従来の移動体通信システムの設定に大きな変更をもたらさなくて済む。
【００６１】
従来の移動体通信システムからの改良点は、データベース６０２に格納する課金情報に、国ごと、通信事業者ごと、サービス種類ごと、時間帯ごとにそれぞれ設定したＡＯＣパラメータが含まれている点と、これら課金情報の最新情報を常に携帯電話機１０１にダウンロードしている点にある。
【００６２】
よって、携帯電話機１０１は、従来の移動体通信システムでは通話終了後に初めて入手できる課金情報を、通話開始前に入手することができる。
【００６３】
そのため、携帯電話機１０１は、ローミングサービスを利用して発信を行う前に、課金情報を用いて利用料金を算出し、利用者に提示することができる。
【００６４】
また、従来の移動体通信システムでは、課金情報を通知しないネットワークが多数あり、また、課金情報を通知するネットワークがあっても、そのうちローミング中の携帯電話機に対してローミングサービス用の課金情報を通知するネットワークは少ない。
【００６５】
これに対して本実施形態では、携帯電話機１０１は、ローミングサービス用の課金情報を予めダウンロードしているため、常に利用者が位置登録しているネットワークに適した利用料金を提示することができる。
【００６６】
また、本実施形態では、携帯電話機１０１は、利用料金の累計金額が記憶部１３のＳＩＭに格納されている利用限度額に達するまでの時間を表す最大利用可能時間を算出し、利用者に提示することができる。
［携帯電話機の着信時の動作］
続いて、携帯電話機１０１の着信時の動作について、図４のフローチャートを参照して説明する。
【００６７】
ここでは、携帯電話機１０１がローミング先の携帯電話事業者Ｖのネットワークに位置登録し、携帯電話機１０２が国内の携帯電話事業者Ｈのネットワークに位置登録した状態で、携帯電話機１０１に携帯電話機１０２からの着信があったものとする。
【００６８】
携帯電話機１０１において、携帯電話機１０２からの呼がアンテナ１１を介して無線部１２に着信したとする（ステップ４０１）。
【００６９】
すると、携帯電話機１０１の制御部１８は、記憶部１３に格納しておいた報知情報に含まれるＭＣＣおよびＭＮＣにより、携帯電話機１０１が現在位置する国および現在位置にてローミングサービスを提供する携帯電話事業者Ｖを認識する。次に、制御部１８は、記憶部１３に格納しておいた課金情報の中から、携帯電話機１０１が現在位置する国に応じたＡＯＣパラメータ、携帯電話事業者Ｖに応じたＡＯＣパラメータ、利用者が利用しようとしているサービス種類に応じたＡＯＣパラメータ、および現在の時間帯に応じたＡＯＣパラメータを抽出する（ステップ４０２）。
【００７０】
次に、制御部１８は、上記で抽出したＡＯＣパラメータを用いて、ローミングサービスを利用して着信を受け付ける場合の利用料金（例えば、単位時間当たりの通話料金）を算出する（ステップ４０３）。
【００７１】
具体的には、制御部１８は、例えば、上記で抽出したＡＯＣパラメータを変数として予め決められた数式に入力することで利用料金を算出する。
【００７２】
ここで、制御部１８は、着信を受け付ける場合に課金が発生するか、すなわちローミングサービスの利用料金が有料であるか否かを判断する（ステップ４０４）。
【００７３】
もし、課金が発生しない場合、制御部１８は、着信通知のみをディスプレイ１５に表示し（ステップ４０５）、利用者が着信を受け付ける操作（オフフック状態にする操作）を行うと、着信の受付に関する通信シーケンスが開始される（ステップ４０６）。
【００７４】
一方、課金が発生する場合、制御部１８は、上記で算出した利用料金を加算した累計金額が記憶部１３のＳＩＭに格納されている利用限度額に達するまでの時間を最大利用可能時間として算出し、上記で算出した利用料金および着信通知と共にディスプレイ１５に表示する（ステップ４０７）。このとき、累計金額がすでに利用限度額を超えている場合、制御部１８は、ローミングサービスを利用できない旨をディスプレイ１５に表示する。
【００７５】
したがって、携帯電話機１０１は、ローミングサービスを利用して着信を受け付ける前に、そのローミングサービスの利用料金および最大利用可能時間を利用者に提示することができる。
【００７６】
その後、制御部１８は、利用者が利用料金および最大利用可能時間を確認した後に着信を受け付ける操作（オフフック状態にする操作）を行うと、着信の受付に関する通信シーケンスが開始される（ステップ４０８）。
【図面の簡単な説明】
【００７７】
【図１】本発明の一実施形態の移動体通信システムの構成を示す図である。
【図２】図１に示した携帯電話機の構成を示す図である。
【図３】図１に示した携帯電話機の発信時の動作を説明するフローチャートである。
【図４】図１に示した携帯電話機の着信時の動作を説明するフローチャートである。
【符号の説明】
【００７８】
１１    アンテナ
１２    無線部
１３    記憶部
１４    操作部
１５    ディスプレイ
１６    マイク
１７    スピーカ
１８    制御部
１０１，１０２    携帯電話機
２０１，２０２    基地局
３０１，３０２    基地局制御装置
４０１，４０２    携帯電話交換機
５０１，５０２    関門交換機
６０２    データベース
【図１】
2008054021.tif 000003
【図２】
2008054021.tif 000004
【図３】
2008054021.tif 000005
【図４】
2008054021.tif 000006